(57)【要約】      （修正有）【課題】縫着部を可能な限り減らし、製造が容易であって、製造コストの低減化が可能であることは勿論のこと、縁部の厚みをより薄くすることができて着用感や外観を向上させることが可能な衣料を提供する。【解決手段】少なくとも縁部の全領域又は一部が、伸縮性を有する合成繊維製表地８と伸縮性を有する合成繊維製裏地９とからなる二重構造とされた衣料であって、表地８の端縁部８１が裏側に折り返されて該端縁部８１の縁８２が裏地９の縁９２と突き合わされ且つこれら端縁８２，９２同士が超音波溶着されるとともにこの突き合わされた部分に伸縮性を有する接着テープ１０が表地８及び裏地９の裏側から当てがわれ、この接着テープ１０により表地８と裏地９とが互いの縁８２，９２同士が突き合わされた状態で接合されたことを特徴とする。【選択図】図２
0003160813.tif 000002
【実用新案登録請求の範囲】
【請求項１】
少なくとも縁部の全領域又は一部が、伸縮性を有する合成繊維製表地と伸縮性を有する合成繊維製裏地とからなる二重構造とされた衣料であって、
表地の端縁部が裏側に折り返されて該端縁部の縁が裏地の縁と突き合わされ且つこれら縁同士が超音波溶着されるとともにこの突き合わされた部分に伸縮性を有する接着テープが表地及び裏地の裏側から当てがわれ、この接着テープにより表地と裏地とが互いの縁同士が突き合わされた状態で接合されたことを特徴とする衣料。
【請求項２】
衣料が、ブラジャー、ガードル、ボディスーツ、ショーツから選ばれた女性下着である請求項１に記載の衣料。
【請求項３】
衣料が、ブリーフ、トランクスから選ばれた男性下着である請求項１に記載の衣料。
【請求項４】
衣料が、水着、レオタードから選ばれたスポーツ用衣料である請求項１に記載の衣料。
【考案の詳細な説明】
【技術分野】
【０００１】
本考案は、ブラジャー、ボディスーツ、ガードル、ショーツ等といった女性用下着や、ブリーフといった男性用下着、或いは水着やアウター等の衣料に関する。
【背景技術】
【０００２】
この種の衣料のなかで、例えばブラジャーについて見ると、ブラジャーは左右のカップ部とこれらカップ部の各端部に接続される一対のサイドパネルとを基本構成要素とし、これに左右のカップ部間に設けられるフロントパネルや、カップ部とサイドパネル間に架け渡される一対のストラップ、またカップ部の周縁に設けられるワイヤー、さらにはサイドパネルの先端に設けられる係止具、或いは両カップ部間に設けられるフロントホックといった各種要素が必要に応じて付加されている。
【０００３】
このようなブラジャーのサイドパネルの多くは、パワーネット等の伸縮性編地を伸長方向に長い例えば台形に裁断し、これを横長に用いてパネル本体とし、その上辺及び下辺に沿って細幅の伸縮性リボンを縫い付けて作られていた（例えば、特許文献１参照）。このようなブラジャーにあっては、サイドパネルの上下両縁部に縫製による縁始末が必要となるため、縫製工程が増加するとともに、サイドパネルの上下両縁部が分厚くなることからこれらの部分とパワーネット製のサイドパネル本体部との間に段差が生じ、その結果ブラジャーの着用時にサイドパネルの上下両縁部がその張力によって肌に食い込み、所謂ブラ跡が残るうえ、不快な圧迫感を与えるだけでなく汗が溜まり易くなり、更には上着が薄手の場合やフィットするタイプのものであると上着の上から透けて見える等の問題があった。
【０００４】
そこで従来、縫着部を可能な限り減らし、製造が容易であって、製造コストの低減化が可能であるとともに、縁部の厚みを薄くすることができて着用感や外観を向上させることが可能な衣料が種々提案されている。
【０００５】
例えば、特許文献２には、サイドパネルを構成する布片の裏面側に裏当て部材を設けて二重に構成し、この二重に構成されたサイドパネルの布片及び裏当て部材の少なくとも下方のエッジ部の両外面に、このエッジ部を挟んだ状態で二つに折り返された帯状のテープ部材を接着するとともに、サイドパネルの布片及び裏当て部材の少なくとも下方のエッジ部の両内面同士の、帯状のテープ部材が接着される部分を、予め互いに接着又は縫着し、且つ裏当て部材の上端のエッジ部を布片に縫着するとともに、裏当て部材の側縁を布片に縫着せずに、パッド部材を挿入可能としたブラジャーが提案されている。
【０００６】
また、特許文献３には、サイドパネルに伸縮性を有する表生地及び伸縮性を有する裏生地を使用し、これらの生地に熱溶融樹脂を介在させ熱接着手段により貼り合わせて構成したブラジャーが提案されている。
【０００７】
さらに、特許文献４〜７には、サイドパネルを二重構造とし、表地と裏地とを上部縁及び下部縁の両方において接着層によって接合したり、或いはサイドパネルを単層構造として上部縁及び下部縁を裏側に折り返すとともにこの折り返した部分を接着テープで固定したりしたブラジャーが提案されている。
【先行技術文献】
【特許文献】
【０００８】
【特許文献１】特開２００３−２７８００６号公報
【特許文献２】特許第４３７４１６９号公報
【特許文献３】特開２００４−１１０５６号公報
【特許文献４】特開２００８−２７４５２６号公報
【特許文献５】特開２００８−２７４５２７号公報
【特許文献６】特開２００８−２７４５２９号公報
【特許文献７】特開２００８−２７４５３０号公報
【考案の概要】
【考案が解決しようとする課題】
【０００９】
しかし、上記の特許文献２〜７のいずれのものにあっても、サイドパネルの上縁部及び下縁部において表地と裏地とが重なり合いの多い状態で接着テープにより重合接着されているため、縁部の厚みがまだ満足のいくほど薄くなってはいない。このため、着用感や外観の向上にまだ改良の余地が残されていると云える。
【００１０】
本考案はそのような情況に鑑み創案されたものであり、縫着部を可能な限り減らし、製造が容易であって、製造コストの低減化が可能であることは勿論のこと、縁部の厚みをより薄くすることができて着用感や外観を向上させることが可能な衣料を提供することを目的とするものである。
【課題を解決するための手段】
【００１１】
上記の目的を達成するため、本考案に係る衣料は、少なくとも縁部の全領域又は一部が、伸縮性を有する合成繊維製表地と伸縮性を有する合成繊維製裏地とからなる二重構造とされた衣料であって、表地の端縁部が裏側に折り返されて該端縁部の縁が裏地の縁と突き合わされ且つこれら縁同士が超音波溶着されるとともにこの突き合わされた部分に伸縮性を有する接着テープが表地及び裏地の裏側から当てがわれ、この接着テープにより表地と裏地とが互いの縁同士が突き合わされた状態で接合されたものである。
【００１２】
本考案はこのような特定事項により、衣料の縁部には、表地の折り返し部分が存するだけであり、また裏側に折り返された表地の端縁部と裏地とが衣料の裏側において同一平面上で連なることとなるため、縁部の厚みが上記従来の衣料に比べてより薄くなるとともに、肌には表地の折り返された端縁部と裏地とが一様に触れることになるので、着用感に優れる。
【００１３】
また、表地と裏地とを接合する接着テープは表地と裏地との間に隠れることになるため、外観を損ねる虞がない。
【００１４】
しかも、表地と裏地とは接着テープで接合されるため、縫着部がなくなり、その分製造が容易となり、製造コストの低減化が可能となる。
【００１５】
さらに、表地と裏地の縁同士が超音波溶着されるため、表地と裏地との接合強度が高いものとなるうえ、接着テープを表地と裏地の突き合わせ部分に貼着する際、既に表地と裏地とが溶着により接合されているため、表地、裏地及び接着テープの３者間の位置決めが簡単で、製造が容易となる。
【００１６】
本考案は、例えばブラジャーのサイドパネル、ガードルの裾部など、縁部に伸縮部分を有する各種の衣料に適用することが可能である。
【考案の効果】
【００１７】
本考案によれば、縫着部を可能な限り減らし、製造が容易であって、製造コストの低減化が可能であることは勿論のこと、縁部の厚みをより薄くすることができて着用感や外観を向上させることができる。
【図面の簡単な説明】
【００１８】
【図１】本考案に係る衣料の一実施形態として示すブラジャーであって、裏面側から見た正面図である。
【図２】図１に示すブラジャーのサイドパネルの一方を裏面側から見た正面図である。
【図３】図２に示すIII−III線に沿う断面を模式的に示す模式断面図である。
【図４Ａ】図１に示すブラジャーのサイドパネルの組立工程を模式的に示す断面図である。
【図４Ｂ】図４Ａに示す工程の次工程を模式的に示す断面図である。
【考案を実施するための形態】
【００１９】
以下、本考案の一実施例について、本考案をブラジャーに適用した場合を例に採り、図面を参照しながら説明する。
【００２０】
図１は本実施形態に係るブラジャーを裏面側から見た正面図、図２はブラジャーのサイドパネルの一方を裏面側から見た正面図、図３は図２に示すIII−III線に沿う断面を模式的に示す模式断面図である。
【００２１】
このブラジャー１は、左右のカップ部２Ｌ，２Ｒと、これらカップ部２Ｌ，２Ｒの各端部に接続された一対のサイドパネル３Ｌ，３Ｒと、左右のカップ部２Ｌ，２Ｒ間に設けられたフロントパネル４と、各カップ部２Ｌ，２Ｒと各サイドパネル３Ｌ，３Ｒ間に架け渡された一対のストラップ５Ｌ，５Ｒとを備えている。各カップ部２Ｌ，２Ｒには、その周縁（下縁）にワイヤー６Ｌ，６Ｒがそれぞれ設けられている。また、一方のサイドパネル３Ｌの左端部３Ｌ１には、係止具を構成するフック７がブラジャー１の裏面側に向けて設けられ、他方のサイドパネル３Ｒの右端部３Ｒ２には、そのフック７が係止されるリング（図１には表れない）がブラジャー１の表面側に向けて設けられている。なお、図中の符号１２は、リングが取り付けられた止着片を示す。
【００２２】
このようになるブラジャー１のサイドパネル３Ｌ，３Ｒは、伸縮性を有する合成繊維製の表地８と、伸縮性を有する合成繊維製の裏地９と、伸縮性を有する２本の接着テープ１０とから構成されており、これらのパーツ８，９，１０から図２に示すような一つの部品として製作されている。なお、図２に示すサイドパネルは図１において左側に位置するサイドパネル３Ｌであり、右側に位置するサイドパネル３Ｒの形状は、図２に示すサイドパネル３Ｌと左右対称となっている。
【００２３】
両サイドパネル３Ｌ，３Ｒは上記したように左右対称であるので、以下、左側のサイドパネル３Ｌについて説明する。
【００２４】
このサイドパネル３Ｌは、伸縮性を有する合成繊維製の表地８と、伸縮性を有する合成繊維製の裏地９とからなる二重構造であって、左右両端部３Ｌ１，３Ｌ２がともに解放されており、全体として筒状となっている。左端部３Ｌ１は、前記係止具のフック７が取り付けられた止着片１１に対応する形状に裁断される一方、右端部３Ｌ２は、前記カップ部２Ｌの周縁形状に沿うように円弧状に裁断されている。
【００２５】
表地８と裏地９とは図３に示すように接合されている。すなわち、表地８の端縁部８１，８１が裏側（ブラジャー１の裏側、すなわち着用者の肌に触れる側）に折り返されて該端縁部８１の縁８２が裏地９の縁９２と突き合わされ且つこれら縁８２，９２同士が超音波溶着されるとともに、この突き合わされた部分に伸縮性を有する接着テープ１０，１０が表地８及び裏地９の裏側から当てがわれ、この接着テープ１０，１０により表地８と裏地９とが互いの縁８２，９２同士が突き合わされた状態で接合されている。
【００２６】
次に、表地８と裏地９の接合手順について、図４Ａ及び図４Ｂを参照しながら説明する。
【００２７】
まず、図４Ａ（ａ）に示すように、表地８とこれより幅狭の裏地９とを用意し、表地８をその表面８Ｓが上を向くように置き、その上に裏地９を、その表面９Ｓが表地８の表面８Ｓと向き合うように重ね、相互の一端（図面では左端）を揃える。
【００２８】
次に、図４Ａ（ｂ）に示すように、揃えた方の端の適所を糸Ｔで仮止めする。
【００２９】
仮止めができたら、図４Ａ（ｃ）に示すように、仮止め箇所の内側に、超音波加工機の照射部を当てがい（図中の矢符Ｕ参照）、この部分に超音波を照射する。
【００３０】
すると、図４Ａ（ｄ）に示すように、超音波が照射された部分で表地８及び裏地９が同時に切断（溶断）され、両者８，９の端部が切除されるとともに、表地８の縁８２と裏地９の縁９２とが溶着される。
【００３１】
次に、図４Ａ（ｅ）に示すように、表地８を撓ませて表地８と裏地９の各他端を揃えるとともに、図４Ａ（ｂ）で示す工程と同じ工程を行い、該他端を糸Ｔで仮止めする。
【００３２】
仮止めができたら、図４Ａ（ｆ）に示すように、仮止め箇所の内側に、超音波加工機の照射部を当てがい（図中の矢符Ｕ参照）、この部分に超音波を照射する。これにより、超音波が照射された部分で表地８及び裏地９が同時に切断（溶断）され、両者８，９の端部が切除されるとともに、表地８の縁８２と裏地９の縁９２とが溶着される。
【００３３】
以上のようにして超音波溶着が完了したら、図４Ｂ（ｇ）に示すように、表地８の両端縁部８１を、表地８の表面８Ｓ側に折り上げ、超音波溶着された部分を表地８の内側に位置させる。
【００３４】
続いて、図４Ｂ（ｈ）に示すように、超音波溶着された部分の上から接着テープ１０を貼り付ける。この段階では、表地８も裏地９も、それぞれの裏面８Ｂ，９Ｂが外方に向いており、この状態で表地８と裏地９は筒状を呈することとなる。
【００３５】
そして、カップ部２Ｌと接合される右端部３Ｌ２（図２参照）を広げ、この右端部３Ｌ２の開口内を左端部３Ｌ１を通過させることにより全体をひっくり返す（表地８と裏地９の表裏を反転させる）。最後に表地８の端縁部８１をプレスし該端縁部８１に折り目を付けて表地８の裏面８Ｂと裏地９の裏面９Ｂとが接するようにして、これでサイドパネル３Ｌが完成する。
【００３６】
表地８及び裏地９は、ともに伸縮性を有し超音波溶着に適した合成繊維製であればよく、従来周知の伸縮性素材のうちから任意のものを選択すればよい。
【００３７】
また、接着テープ１０も伸縮性を有しておればよく、熱圧着タイプ、感圧タイプなど従来周知のあらゆるタイプの接着テープを採用することができる。なお、厚さは、装着感の向上を図るうえから、薄ければ薄いほど好ましい。
【００３８】
超音波溶着機は、上記したように溶断と溶着が同時に行えるタイプのものであればよく、特に限定されない。
【００３９】
以上、本考案をブラジャーのサイドパネルに適用した実施形態について説明したが、本考案はこれに限るものではなく、例えば、ガードルの裾部、ボディスーツの裾部、ショーツの裾部、水着の裾部など、縁部に伸縮部分を有する各種の衣料に適用することが可能である。
【産業上の利用可能性】
【００４０】
本考案は、ブラジャー、ガードル、ボディスーツ、ショーツといった女性用下着、またブリーフなどの男性用下着、水着、レオタードなど、伸縮性素材が端部に配される衣料に利用可能である。
【符号の説明】
【００４１】
１  ブラジャー（衣料）
３Ｌ，３Ｒ  サイドパネル
３Ｌ１  サイドパネル３Ｌの左端部
３Ｌ２  サイドパネル３Ｌの右端部
３Ｒ２  サイドパネル３Ｒの右端部
８  表地
８１  端縁部
８２  縁
９  裏地
９２  縁
１０  接着テープ
【図１】
0003160813.tif 000003
【図２】
0003160813.tif 000004
【図３】
0003160813.tif 000005
【図４Ａ】
0003160813.tif 000006
【図４Ｂ】
0003160813.tif 000007